(57)【要約】【課題】会員のペアリングが不精確である問題の解決を図る会員動的ペアリングシステム及びその方法である。【解決手段】動的データモジュールにより、時間周期において会員の動的データを収集し、予め設けられたウェイトによりペアリングを行い、該当する会員を選択してペアリングを行うことによって、会員のペアリングの精確さが向上し、会員の友人作りの品質が向上する効果を達成させる。【選択図】図１
2009015836.tif 000002
【特許請求の範囲】
【請求項１】
知的検索によりペアリングの相手を検索する会員動的ペアリング方法において、
時間周期を設定する時間周期モジュールと、
前記時間周期において少なくとも一人の会員が備える一つの外部データ及び一つの内部データを動的に収集し、前記外部データ及び前記内部データを動的データベースに格納する動的情報モジュールと、
前記時間周期が終わると、ウェイトユニットを起動し、前記ウェイトユニットのウェイトにより、それぞれの前記会員の前記外部データ及び前記内部データに対して重み付けペアリングを実行する重み付けペアリングモジュールと
を備える、会員動的ペアリングシステム。
【請求項２】
前記外部データは、前記会員の外部ウェブサイトにおけるデータであっても良く、前記内部データは、前記会員の前記会員動的ペアリングシステムにおける記入データであっても良い請求項１に記載の会員動的ペアリングシステム。
【請求項３】
前記動的情報モジュールは、さらに、前記外部データを収集する時に前記会員の身分を対比するための会員ＩＤを含む請求項１に記載の会員動的ペアリングシステム。
【請求項４】
さらに、前記重み付けペアリングモジュールが前記外部データ及び前記内部データと合わせた後、重み付けにより、ペアリングの要求に該当する相手を検索するための前記会員の基本データを格納する静的データベースを備える請求項１に記載の会員動的ペアリングシステム。
【請求項５】
前記ウェイトユニットは、前記外部データ及び前記内部データに対して予め設定されたウェイトを備える請求項１に記載の会員動的ペアリングシステム。
【請求項６】
さらに、ユーザが会員の基本データ、時間周期及びウェイトの設置を行い、また、ユーザがカスタム検索または前記知的検索を選択的に実行するための選択インターフェースを備える請求項１に記載の会員動的ペアリングシステム。
【請求項７】
前記カスタム検索は、ユーザにかかる会員の基本データに基づき、重み付けにより、ペアリングの要求に該当する相手を検索するものである請求項６に記載の会員動的ペアリングシステム。
【請求項８】
さらに、ユーザによるペアリングの要求に該当する相手を出力する表示モジュールを備える請求項１に記載の会員動的ペアリングシステム。
【請求項９】
前記動的情報モジュールは、前記時間周期が終わったが、前記会員の前記外部データ及び前記内部データが収集されていない場合、前記選択インターフェースを介して、前記時間周期モジュールを起動して前記時間周期を改めて設定し、前記動的情報モジュールを起動して前記外部データ及び前記内部データを改めて動的に収集する請求項１に記載の会員動的ペアリングシステム。
【請求項１０】
知的検索によりペアリングの相手を検索する会員動的ペアリング方法において、
時間周期を設定する工程と、
前記時間周期において少なくとも一人の会員が備える少なくとも一つの外部データ及び一つの内部データを動的に収集し、前記外部データ及び前記内部データを動的データベースに格納する工程と、
前記時間周期が終わると、ウェイトユニットによりそれぞれの前記会員の間に、前記外部データと前記内部データとに対して重み付けペアリングを実行する工程と
を含む、会員動的ペアリング方法。
【請求項１１】
さらに、前記外部データを収集する時に、会員ＩＤにより前記会員の身分を対比する工程を含む請求項１０に記載の会員動的ペアリング方法。
【請求項１２】
さらに、前記重み付けペアリングモジュールが前記外部データ及び前記内部データと合わせた後、重み付けにより、ペアリングの要求に該当する相手を検索するための前記会員の基本データを格納する工程を含む請求項１０に記載の会員動的ペアリング方法。
【請求項１３】
前記ウェイトユニットは、前記外部データ及び前記内部データに対して予め設定されたウェイトを備える請求項１０に記載の会員動的ペアリング方法。
【請求項１４】
さらに、ユーザが会員の基本データ、時間周期及びウェイトの設置を行い、また、ユーザがカスタム検索または前記知的検索を選択する工程を含む請求項１０に記載の会員動的ペアリング方法。
【請求項１５】
前記カスタム検索は、ユーザにかかる会員の基本データに基づき、重み付けにより、ペアリングの要求に該当する相手を検索するものである請求項１４に記載の会員動的ペアリング方法。
【請求項１６】
さらに、前記時間周期が終わったが、前記会員の前記外部データ及び前記内部データが収集されていない場合、前記知的検索を選択する工程を介して、前記時間周期を改めて設定し、前記外部データ及び前記内部データを改めて動的に収集する工程を含む請求項１０に記載の会員動的ペアリング方法。
【発明の詳細な説明】
【技術分野】
【０００１】
本発明は、会員のペアリングシステム及びその方法であり、特に、会員の動的データを収集し、該当する会員を選択してペアリングを行うシステム及びその方法である。
【背景技術】
【０００２】
インターネットが普及かつ便利になることにつれて、現代人は、ネットとますます離れられないほど緊密になってきて、家を出なくても世界中の出来事を知ることができるようになった。現代人の生活はコンピューターやネットワークとますます緊密に繋がるようになったため、毎日、たくさんの時間を費やしてインターネットをする人が多いので、ネットワークを介して友達を作る傾向が現れてきた。有名なチャットによる友人作りのサービスとしては、ＩＣＱやＭＳＮが挙げられる。ユーザは、このようなチャットによる友人作りのサービスを介して会員として加入さえすれば、これらのチャットによる友人作りのサービスによりペアリングを行い、ネットにおいてたくさんの様々な他の会員とチャットし、さらに友達になるように進めることができる。
【０００３】
ところが、従来の友人作りのサービスは、あちこち見られ、それぞれの特色をもっているものの、一般的には、ユーザの申し込む時に記入された会員データの星座、血液型、年齢、趣味などに基づき、ユーザを条件に該当する他の会員とペアリングするものである。従来の技術では、会員データによりペアリングを行わなければならないが、会員データを定期的に修正したり、他のデータを受けたりすることはしない。上記データは、会員が加入する時に記入されてからペアリングまで修正されたことがなかったら、対比用のデータベースにおけるデータが不精確なものになり、ペアリングされた条件に該当する相手が既にこの友人作りのサービスを利用しなくて他のサービスを選択したおそれもある。又は、会員は、既に元のＥメールを使わなくて他のＥメールに変更するようになったため、ペアリングが成功しても、チャットして友達になることができない場合がある。または、その趣味は、時間につれて、新たな趣味が現れたり、元の趣味が消えたりするように、既に変化され、最初に記入した基本データにおける趣味と異るようになる場合がある。甚だしきに至っては、現在の年齢は最初に記入したデータにおける年齢とかなり外れており、年齢がかなり増えたにもかかわらず、時間につれてデータを修正せずにペアリングを行う場合がある。このように、会員にかかる他のデータを受けずに、依然として古いデータでペアリングを行うため、不精確なペアリングになってしまう問題が存在している。
【発明の開示】
【発明が解決しようとする課題】
【０００４】
本発明は、上記の問題を鑑みて、会員のペアリングが不精確である問題を解決するために、動的データモジュールにより会員の動的データを収集し、会員データを収集する条件周期として時間周期モジュールを搭載し、さらに、予め設定されたウェイトを介して重み付けペアリングを行い、友人作りに適する会員を選択する会員動的ペアリングシステムを提供することを目的とする。
【課題を解決するための手段】
【０００５】
本発明による会員動的ペアリングシステムは、会員データを収集する条件周期として用いられる時間周期である時間周期モジュールと、時間周期において会員の外部データ及び内部データを動的に収集して動的データベースに格納する動的情報モジュールと、時間周期が終わると、内部データ及び外部データを分析整理して重み付けペアリングを行い、友人作りに適する相手を選択する重み付けペアリングモジュールとを備えることにより実現される。
本発明の会員動的ペアリング方法としては、時間周期を設定する工程と、時間周期において少なくとも一人の会員が備える少なくとも一つの外部データ及び一つの内部データを動的に収集する工程と、時間周期が終わると、ウェイトユニットにより、それぞれの会員間の外部データ及び内部データについて、重み付けペアリングを実行する工程とを含む。
本発明の会員動的ペアリングシステム及びその方法によれば、時間周期において会員データが収集され、会員データが古いためにペアリングが精確に行われないことが有効に解決され、会員のペアリングの精確さを向上させることができる。
【発明を実施するための最良の形態】
【０００６】
以下、本発明をさらに明らかにするために、実施形態を参照して詳しく説明する。
本発明は、会員動的ペアリングシステム及びその方法を提供しており、以下、「図１」のシステムのブロック図及び「図２」の方法のフローチャートを参照しながら説明する。
本発明による会員動的ペアリングシステム１００は、選択インターフェース５０を介して、ユーザにより検索方式が選択される（ステップ２１０）。ユーザの選択により、知的検索をする（ステップ２２０）か、それともカスタム検索をするかを決定する（ステップ２７０）。以下、まず、知的検索のほうをさらに説明する。
【０００７】
ユーザは、選択インターフェース５０を介して知的検索（ステップ２２０）を選択した場合、知的検索の機能が直ぐ起動され（ステップ２３０）、このとき、まず、ユーザによる時間周期を時間周期モジュール１１０に設定し、（ステップ２４０）、時間周期モジュール１１０における時間周期が決定されると、動的情報モジュール１２０は、時間周期モジュール１１０の時間周期において会員の動的データを収集し始め（ステップ２５０）、動的データが収集されると、自動的に動的データベース１５０に格納される（ステップ２５２）。動的データベース１５０は、外部ウェブサイト１７２からの会員データである外部データ１７０と、内部データ１８０とを格納するものである。上記外部ウェブサイト１７２からの会員データは、友人作り以外のためのサービスと同様な性質のウェブサイトであり、お好みの予約購読な電子新聞、よく目を通すウェブサイト、お好みの掲示板、さらに会員のコンピューターを操作し慣れた方式や、会員の外部ウェブサイト１７２に目を通す時間などでもよいが、これらに限定されず、実際の要求に応じて動的情報モジュール１２０に設定されてよい。
【０００８】
時間周期において、動的情報モジュール１２０は、外部ウェブサイト１７２からの条件に該当する会員データについて、会員ＩＤ１２２の対比により、会員の身分を対比する（ステップ２５６）。会員ＩＤ１２２は、友人作りのサービスにおいてランダムに発生された会員を識別する唯一の識別コードであり、この会員ＩＤ１２２は会員データが成立されると同時に、一緒にそれぞれの外部ウェブサイト１７２に伝送・格納されるので、外部ウェブサイト１７２からの会員データに会員ＩＤ１２２が含まれる場合、動的情報モジュール１２０は、会員ＩＤ１２２の対比により、データがどの会員に所属するかを確認することができ（ステップ２５６）、そして、それをネットワークを介して友人作りのサービスの動的データベース１５０に伝送する。例えば、ユーザである林小華としては、友人作りのサービスから「２００７０７０２」という会員ＩＤ１２２が与えられたので、動的情報モジュール１２０は、外部ウェブサイト１７２における会員データを収集した場合、会員ＩＤ１２２を対比することにより（ステップ２５６）、会員ＩＤ１２２が同じく「２００７０７０２」である会員データがずべて林小華に所属するものと確認することができ、それを動的データベース１５０に格納することになる。内部データ１８０は、友人作りのサービスにおいて伝送される記入データ１８２であり、会員により記入されてから、友人作りのサービスに送り返される。記入データ１８２は、会員の趣味の変動表、会員のメールボックスの変動表や、会員の心理テストなどでもよいが、これらに限定されず、実際の要求に応じて動的情報モジュール１２０に設定されてよい。
【０００９】
本発明は、外部データ１７０及び内部データ１８０により、時間周期において会員データを収集し、時間周期モジュール１１０的時間周期が終わると、動的情報モジュール１２０は、会員データ（ステップ２５４）を収集したかどうかを判定する。収集した場合、収集された会員データを重み付けペアリングモジュール１３０のウェイトユニット１４０に伝送して重み付けペアリングを実行し（ステップ２６０）、このウェイトユニット１４０のウェイトは、ユーザが会員データを記入する時に記入されるもので、友人作りのサービスは、その対応するウェイトに一つの百分数を与える。
【００１０】
重み付けペアリングモジュール１３０は、動的データベース１５０の内部データ１８０及び外部データ１７０を読み出した後、ウェイトユニットを起動し、ウェイトユニット１４０に設定されたウェイトに従って、動的データベース１５０（ステップ２５０及びステップ２５２）における会員データに基づき、ペアリングを行うが、実は、ユーザの基本的なペアリングの要求に対応するために、会員の基本データを格納した静的データベース１６０も一緒に付加し（ステップ２２２）、重み付けにより、ペアリングの要求に該当する相手を検索して表示してもよい（ステップ２９０）。
【００１１】
しかし、時間周期において会員データが収集されなかった場合（ステップ２５４）、ユーザにより、選択インターフェース５０を介して時間周期モジュール１１０を起動して新たに時間周期を設定しなければならないが（ステップ２４０）、時間周期モジュール１１０は、新たな時間周期を受けた後、動的情報モジュール１２０を改めて実行すると（ステップ２３０及びステップ２５０）、続いて重み付けペアリングを行う（ステップ２６０）。
【００１２】
ユーザの他の選択としては、知的検索を実行したくない場合、本発明では従来の検索のペアリング方式も残されてもよい。すなわち、ユーザは、提供された選択インターフェース５０を介して、カスタム検索の実行を選択することができ（ステップ２７０）、カスタム検索は、実は、ユーザにより記入されて静的データベース１６０に格納された（ステップ２８０）基本データに対して重み付けペアリングを実行し（ステップ２６０）、同様に重み付けペアリングモジュール１３０におけるウェイトユニット１４０により、静的データベース１６０から会員の基本データを読み出して重み付けペアリングを実行し（ステップ２６０）、ユーザに設定されたウェイトの高から低への順に従って、友人作りに適する相手を探し出す。このようなカスタム検索は、主として、ユーザが使い慣れたペアリングのメカニズムを提供するとともに、もう一つのペアリングの選択を提供する。
【００１３】
会員動的ペアリングシステム及びその方法によれば、時間周期において会員的データが収集され、会員データが古いためにペアリングが精確に行われないことが有効に解決され、ペアリングの精度を向上させることができる。
【００１４】
「図３」は、本発明にかかる選択インターフェース５０の実施形態を模式的に示す図であり、それぞれのユーザが友人作りのサービスを利用する前に記入すべき基本データを示しており、ここでは、選択インターフェース５０は模式的な実施例だけであり、本発明の選択インターフェース５０を限定する態様ではない。例えば、ウェイトの設置の部分では、ユーザに選択された後、さらにサブオプション（図示せず）がユーザに選択されるように供給されることができる。ユーザは最初、職業をウェイト１として選択する場合、職業のウェイトが一番高いものを示すが、そして、さらに他のウインドーが開かれるように設けることにより、ユーザがさらに記入する（例えば、ユーザが記入した職業のサブオプションは医師、弁護士と教師）ことができる。もし個性をウェイト２として選択する場合、個性のウェイトが二番目に高いものを示し、それ以降は、上記のように類推する。
【００１５】
検索方式の部分では、ユーザはカスタム検索３３０または知的検索３４０を選択することができるが、カスタム検索３３０を選択する場合、本実施形態において、ユーザに選ばれだウェイトの設置３２０は、高から低への順に、趣味、星座、インターネットする時間、国家及び血液型であると、友人作りのサービスに与えられた対応するウェイトユニット１４０は１００％、９０％、８０％、７０％、６０％となる。本発明では、実際の要求に応じて、ウェイトユニット１４０における各項の百分率を調整し、重み付けペアリングモジュール１３０を利用して、ウェイトの設置３２０の高から低への順によって、静的データベース１６０から友人作りに適する相手を探し出してもよく、また、ユーザは自ら友人作りに適する相手の人数及び表示情報の出力を決めてもよい。
【００１６】
例えば、本実施形態では、ユーザは知的検索３４０を選択する場合、時間周期３１０を設定する必要があり、その設定された時間周期を一日とするとともに、ユーザに選ばれたウェイトの設置３２０は、それぞれ高から低への順に、趣味、星座、インターネットする時間、国家及び血液型である。このとき、本システムは、ウェイトユニット１４０において与えたそれぞれ対応するウェイトの百分率が１００％、９０％、８０％、７０％、６０％となるが、無論、実際の要求に応じてこの百分率を調整し、動的情報モジュール１２０を起動してもよい。これにより、この一日中、動的情報モジュール１２０は、友人作りのサービスと協力するＧｏｏｇｌｅ、Ｙａｈｏｏ星座ネット、撮影掲示板などの外部ウェブサイト１７２へ、会員の外部データ１７０を収集に行くことになる。それと同時に、動的情報モジュール１２０は、友人作りのサービスを介して、気分指数、心理テスト、アンケートなどの内部データ１８０の記入データ１８２を会員に記入されるように伝送し、そして、収集された外部データ１７０及び内部データ１８０を動的データベース１５０へ重み付けペアリングに利用されるように格納する。収集された動的データは会員的データであるので、重み付けペアリングモジュール１３０を実行し、整理分析をすると、動的データベース及び静的データベースから友人作りに適する相手を探し出すことができる。この一日中、何の会員データも検索できなかった場合、時間周期を改めて設定し、動的情報モジュール１２０を改めて実行して、続いて重み付けペアリングのプロセスを改めて実行しなければならない（ステップ２６０）。
【００１７】
以上、本発明を上述した好ましい実施形態に基づき開示したが、本発明はそれに限定されるものではなく、当業者のいずれも、本発明の精神及び範囲を逸脱しない範囲で、若干の変更や修飾を加えることができるので、本発明にかかる特許の保護範囲は、本明細書に添付する特許請求の範囲に限定されるものによるべきである。
【図面の簡単な説明】
【００１８】
【図１】本発明に係る会員動的ペアリングシステムを示すブロック図である。
【図２】本発明に係る会員動的ペアリング方法のフローチャートである。
【図３】本発明に係る選択インターフェースの実施形態を模式的に示す図である。
【符号の説明】
【００１９】
５０    選択インターフェース
１００    会員動的ペアリングシステム
１１０    時間周期モジュール
１２０    動的情報モジュール
１２２    会員ＩＤ
１３０    重み付けペアリングモジュール
１４０    ウェイトユニット
１５０    動的データベース
１６０    静的データベース
１７０    外部データ
１７２    外部ウェブサイト
１８０    内部データ
１８２    記入データ
３００    選択インターフェース
３１０    時間周期
３２０    ウェイトの設置
３３０    カスタム検索
３４０    知的検索
ステップ２１０    検索方式の選択
ステップ２２０    知的検索の実行
ステップ２２２    静的データベースの読み出し
ステップ２３０    知的検索
ステップ２４０    時間周期の設定
ステップ２５０    動的データの収集
ステップ２５２    動的データベースへの格納
ステップ２５４    会員データに収集された？
ステップ２５６    会員身分の対比
ステップ２６０    重み付けペアリングの実行
ステップ２７０    カスタム検索の実行
ステップ２８０    静的データベースの読み出し
ステップ２９０    友人作りに適する相手の表示
【図１】
2009015836.tif 000003
【図２】
2009015836.tif 000004
【図３】
2009015836.tif 000005